(57)【要約】【課題】レンズのチルト調整が可能なレンズ鏡筒を提供する。【解決手段】前記筒体１８に対して傾き調整可能に配置されたレンズ保持枠２２と、前記筒体１８と前記レンズ保持枠２２との間に配置された輪帯状のスペーサ３０とを有し、前記スペーサ３０は、前記レンズ保持枠２２を基準位置に位置決めするための第１の位置Ｐ１と、前記第１の位置Ｐ１から前記筒体１８の中心軸まわりに所定角度回動した位置であって、前記レンズ保持枠２２を調整可能とする第２の位置Ｐ２との間を変位可能であるレンズ鏡筒。【選択図】図４
2009156960.tif 000002
【特許請求の範囲】
【請求項１】
筒体と、
前記筒体に対して傾き調整可能に配置されたレンズ保持枠と、
前記筒体と前記レンズ保持枠との間に配置された輪帯状のスペーサとを有し、
前記スペーサは、前記レンズ保持枠を基準位置に位置決めするための第１の位置と、
前記第１の位置から前記筒体の中心軸まわりに所定角度回動した位置であって、前記レンズ保持枠を調整可能とする第２の位置との間を変位可能であることを特徴とするレンズ鏡筒。
【請求項２】
前記筒体と前記レンズ保持枠の一方には、前記スペーサに当接する突起部が設けられており、
前記スペーサは、前記突起部の幅よりも小さい第１の部分と、前記第１の部分に連続して形成された前記突起部の幅より大きい第２の部分とを有する穴部が設けられており、
前記穴部の前記第１の部分は、前記スペーサが前記第１の位置にある状態で、前記突起部と対向し、
前記穴部の前記第２の部分は、前記スペーサが前記第２の位置にある状態で、前記突起部と対向することを特徴とする請求項１に記載のレンズ鏡筒。
【請求項３】
前記筒体に対して前記レンズ保持枠を付勢する付勢手段をさらに有する請求項１または２に記載のレンズ鏡筒。
【請求項４】
前記付勢手段は、前記スペーサに設けられた板バネであることを特徴とする請求項３に記載のレンズ鏡筒。
【請求項５】
前記付勢手段は、前記スペーサが前記第１の位置にある状態と、前記スペーサが前記第２の位置にある状態とで、前記レンズ保持枠を付勢する力が変化することを特徴とする請求項３または４に記載のレンズ鏡筒。
【請求項６】
前記付勢手段は、前記スペーサが前記第２の位置にある状態で前記レンズ保持枠を付勢し、前記スペーサが前記第１の位置にある状態で前記レンズ保持枠を付勢しないことを特徴とする請求項３〜５のいずれかに記載のレンズ鏡筒。
【請求項７】
前記レンズ保持枠は、係合部を有し、
前記保持枠の前記筒体と反対側に設けられるとともに、前記係合部と対向する範囲に設けられたスリット部を有する環状の枠部材をさらに備え、
前記係合部を前記スリット部を介して係合して回動することにより、前記スペーサを前記第１位置と第２位置との間で回動することを特徴とする請求項１〜６のいずれかに記載のレンズ鏡筒。
【発明の詳細な説明】
【技術分野】
【０００１】
本発明は、レンズ鏡筒に関し、より詳細にはレンズのチルト調整が可能なレンズ鏡筒に関する。
【背景技術】
【０００２】
レンズを有する鏡筒を組み立てる際に、レンズのチルト調整を行う必要がある。レンズのチルト調整が可能なレンズ鏡筒に関する従来技術としては、例えば、チルト調整用の調整ネジを光軸方向に移動するレンズ鏡筒が知られている（特許文献１参照）。
【０００３】
しかし、従来技術に係るレンズ鏡筒では、調整ネジによって設計上の基準位置を出すのは困難であり、機械的な基準位置に対して調整するようにすると、基準位置に対する調整方向が制限されてしまうという問題が発生していた。
【特許文献１】特開２００２−２２８９０６号公報
【発明の開示】
【発明が解決しようとする課題】
【０００４】
本発明は、このような実情に鑑みてなされ、その目的は、容易に基準位置に位置決めできるとともに、この基準位置に対して調整方向が制限されずにレンズの傾きの調整が可能なレンズ鏡筒を提供することである。
【課題を解決するための手段】
【０００５】
上記課題を解決するために、本発明に係るレンズ鏡筒は、筒体（１８）と、
前記筒体（１８）に対して傾き調整可能に配置されたレンズ保持枠（２２）と、
前記筒体（１８）と前記レンズ保持枠（２２）との間に配置された輪帯状のスペーサ（３０）とを有し、
前記スペーサ（３０）は、前記レンズ保持枠（２２）を基準位置に位置決めするための第１の位置（Ｐ１）と、
前記第１の位置（Ｐ１）から前記筒体（１８）の中心軸まわりに所定角度回動した位置であって、前記レンズ保持枠（２２）を調整可能とする第２の位置（Ｐ２）との間を変位可能であることを特徴とする。
【０００６】
また、例えば、本発明に係るレンズ鏡筒において、
前記筒体（１８）と前記レンズ保持枠（２２）の一方には、前記スペーサ（３０）に当接する突起部（７２）が設けられており、
前記スペーサ（３０）は、前記突起部（７２）の幅よりも小さい第１の部分（６４ａ）と、前記第１の部分（６４ａ）に連続して形成された前記突起部（７２）の幅（７２）より大きい第２の部分（６４ｂ）とを有する穴部（６４）が設けられており、
前記穴部（６４）の前記第１の部分（６４ａ）は、前記スペーサ（３０）が前記第１の位置（Ｐ１）にある状態で、前記突起部（７２）と対向し、
前記穴部（６４）の前記第２の部分（６４ｂ）は、前記スペーサ（３０）が前記第２の位置（Ｐ２）にある状態で、前記突起部（７２）と対向してもよい。
【０００７】
また、例えば、本発明に係るレンズ鏡筒は、
前記筒体（１８）に対して前記レンズ保持枠（２２）を付勢する付勢手段（６２）をさらに有してもよい。
【０００８】
また、例えば、前記付勢手段（６２）は、前記スペーサ（３０）に設けられた板バネであってもよい。
【０００９】
また、例えば、前記付勢手段（６２）は、前記スペーサ（３０）が前記第１の位置にある状態と、前記スペーサ（３０）が前記第２の位置にある状態とで、前記レンズ保持枠（２２）を付勢する力が変化してもよい。
【００１０】
また、例えば、前記付勢手段（６２）は、前記スペーサ（３０）が前記第２の位置にある際に前記レンズ保持枠（２２）を付勢し、前記スペーサ（３０）が前記第１の位置（Ｐ１）にある際に前記レンズ保持枠（２２）を付勢しないものであってもよい。
【００１１】
また、例えば、前記レンズ保持枠（２２）は、係合部（７０）を有し、
前記保持枠（２２）の前記筒体（１８）と反対側に設けられるとともに、前記係合部（７０）と対向する範囲に設けられたスリット部（２２ｅ）を有する環状の枠部材（２２ｂ）をさらに備え、
前記係合部（７０）を前記スリット部（２２ｅ）を介して係合して回動することにより、前記スペーサ（３０）を前記第１位置（Ｐ１）と第２位置（Ｐ２）との間で回動してもよい。
【００１２】
なお上述の説明では、本発明をわかりやすく説明するために実施形態を示す図面の符号に対応づけて説明したが、本発明は、これに限定されるものでない。後述の実施形態の構成を適宜改良してもよく、また、少なくとも一部を他の構成物に代替させてもよい。さらに、その配置について特に限定のない構成要件は、実施形態で開示した配置に限らず、その機能を達成できる位置に配置することができる。
【発明を実施するための最良の形態】
【００１３】
以下、本発明を、図面に示す実施形態に基づき説明する。
図１は、本発明の一実施形態に係るレンズ鏡筒の光軸を通る断面における断面図、
図１Ａは、図１に示すレンズ鏡筒の要部拡大断面図、
図２は、図１に示すレンズ鏡筒の第１レンズ群側からの平面図であり、スペーサが標準位置にある状態を示す平面図、
図３は、図１に示すレンズ鏡筒に備えられるスペーサの平面図、
図４は、図１に示すレンズ鏡筒の調整ビス付近の拡大断面図であり、スペーサが標準位置にある状態を示す断面図、
図５は、図１に示すレンズ鏡筒に備えられるスペーサと固定筒との位置関係を表した要部拡大図であり、スペーサが標準位置にある状態を示す要部拡大図、
図６は、図１に示すレンズ鏡筒の第１レンズ群側からの平面図であり、スペーサが調整位置にある状態を示す平面図、
図７は、図１に示すレンズ鏡筒の調整ビス付近の拡大断面図であり、スペーサが調整位置にある状態を示す平面図、
図８は、図１に示すレンズ鏡筒に備えられるスペーサと固定筒との位置関係を表した要部拡大図であり、スペーサが調整位置にある状態を示す平面図である。
実施形態
【００１４】
図１は、本発明の一実施形態に係るレンズ鏡筒２の鏡筒光軸Ｌを通る断面における断面図である。なお本実施形態では、一眼レフカメラに用いられるレンズ鏡筒２を用いて説明を行うが、本発明はこれに限定されず、一眼レフカメラ以外のカメラもしくはその他の光学機器に用いられるレンズ鏡筒であってもよい。
【００１５】
本実施形態のレンズ鏡筒２に内蔵されている撮影光学系は、第１レンズ群４、第２レンズ群６および絞り８で構成される。第１レンズ群４は、レンズ１０ａ，１０ｂ，１０ｃからなる３枚のレンズを有し、第２レンズ群６は、レンズ１２ａ，１２ｂ，１２ｃからなる３枚のレンズを有する。また、レンズ鏡筒２は、マウント部１４を有しており、当該マウント部１４を介してカメラ本体部（不図示）に固定される。
【００１６】
レンズ鏡筒２において、第１レンズ群４は撮影光の入射側（Ｚ軸負方向側）に配置されるのに対して、第２レンズ群６は撮影光の出射側（Ｚ軸正方向側）に配置される。さらに、絞り８は、第１レンズ群４と第２レンズ群６との間に配置される。鏡筒２の内部には固定筒１８が備えられており、第１レンズ群４、第２レンズ群６および絞り８は、固定筒１８に対して取り付けられる。
【００１７】
固定筒１８のＺ軸負方向側の開口付近には、第１〜第３段差部１８ａ〜１８ｃが形成されている。絞り８は、第３段差部１８ｃよりＺ軸負方向側に形成されている第１および第２段差部１８ａ，１８ｂに係合する。第１および第２段差部１８ａ，１８ｂよりＺ軸正方向側に形成されている第３段差部１８ｃには、第２レンズ群保持筒１６が係合する。第２レンズ群６は、第２レンズ群保持筒１６を介して、固定筒１８に取り付けられる。
【００１８】
第１レンズ群４は、レンズ１０ａを保持する第１レンズ枠２０と、レンズ１０ｂおよびレンズ１０ｃを保持する第２レンズ枠２２とを有する。第１レンズ枠２０は、光軸Ｌと略平行な方向に沿って配置され、レンズ１０ａと係合する第１筒部２０ａと、光軸Ｌと略垂直な方向に沿って配置される第１レンズ枠縁部２０ｂとを有する。また、第２レンズ枠２２は、光軸Ｌと略平行な方向に沿って配置され、レンズ１０ｂおよびレンズ１０ｃと係合する第２筒部２２ａと、光軸Ｌと略垂直な方向に沿って配置される第２レンズ枠縁部２２ｂとを有する。
【００１９】
第１レンズ枠２０と第２レンズ枠２２とは、固定ねじ２４によって一体的に固定される。第１レンズ枠２０と第２レンズ枠２２とは、図２に示すように、第１および第２レンズ枠縁部２０ｂ，２２ｂの周方向に沿って略等間隔に設けられる３つの固定ねじ２４によって固定される。
【００２０】
また、図１Ａの拡大図に示すように、第２レンズ枠縁部２２ｂには、レンズ枠２２を固定筒１８に固定するためのレンズ枠貫通孔２２ｃが設けられている。固定筒１８のＺ軸負方向側の端部には、光軸Ｌと略垂直な方向に沿って配置される固定筒縁部１８ｄが、第２レンズ枠縁部２２ｂに対向して形成されている。固定筒縁部１８ｄには、第２レンズ枠縁部２２ｂのレンズ枠貫通孔２２ｃに対応して、調整ねじ穴１８ｅが設けられている。第２レンズ枠縁部２２ｂは、Ｚ軸正方向に向かって対向する固定筒縁部１８ｄとの間に、スペーサ３０を挟んだ状態で固定筒１８に取り付けられる。
【００２１】
第２レンズ枠縁部２２ｂのレンズ枠貫通孔２２ｃには、Ｚ軸負方向側から調整ねじ２６が挿入される。調整ねじ２６は、レンズ枠貫通孔２２ｃおよびスペーサ３０の連続穴６４を挿通した状態で、固定筒１８の調整ねじ穴１８ｅにねじ止めされる。レンズ枠貫通孔２２ｃのＺ軸負方向側の開口には、ワッシャ２８を設置するためのレンズ枠段差部２２ｄが形成されている。
【００２２】
第２レンズ枠縁部２２ｂと、固定筒縁部１８ｄとは、図２に示すように、第２レンズ枠縁部２２ｂの周方向に沿って、略等間隔に設けられる３つの調整ねじ２６によって固定される。図１Ａに示す第２レンズ枠縁部２２ｂと、固定筒縁部１８ｄとの間に配置されるスペーサ３０は、図３に示すように、輪帯状の形状を有している。スペーサ３０は、金属または樹脂等の弾性変形可能な材料で作製されることが好ましく、例えば、金属の板材で作製されることが特に好ましい。
【００２３】
スペーサ３０は、腕部６２と、連続穴６４と、回動量制限孔６６と、固定部挿通孔６８と、工具係合孔７０とを、各々３つずつ有している。３つの腕部６２は、スペーサ３０の周方向に沿って略等間隔に形成されている。また、３つの連続穴６４、３つの回動量制限孔６６、３つの固定部挿通孔６８、３つの工具係合穴７０についても、腕部６２と同様に、スペーサ３０の周方向に沿って略等間隔に形成されている。
【００２４】
図２に示すように、スペーサ３０のＺ軸負方向側に配置される第２レンズ枠縁部２２ｂには、工具係合孔７０に対応して、長円状のスリット２２ｅが形成されている。したがって、レンズ鏡筒２のＺ軸負方向側から、スリット２２ｅを介して、工具係合孔７０に、例えば棒状の工具（不図示）の先端を係合させることができる。工具係合孔７０に係合させた工具の先端を、光軸Ｌを中心に所定角度回動させることによって、図２に破線で示す標準位置Ｐ１から、図６に破線で示す調整位置Ｐ２まで、スペーサ３０を回動させることができる。
【００２５】
後に詳述するが、本実施形態のレンズ鏡筒２では、スペーサ３０が標準位置Ｐ１に配置されている状態で、第２レンズ枠２２を基準位置に位置決めする。また、スペーサ３０が調整位置Ｐ２に配置されている状態で、第２レンズ枠２２の光軸Ｌに対する傾きおよび位置を調整し、チルト調整等を行うことができる。なお、基準位置とは、レンズ鏡筒２を組み立てる際、またはチルト調整前等に、第２レンズ枠２２が配置される設計基準位置である。
【００２６】
図３に示す固定部挿通孔６８は、図１に示すように、第２レンズ枠縁部２２ｂのＺ軸正方向側表面に形成されている突出部２２ｆによって挿通される。第２レンズ枠２２には、固定ねじ２４をねじ止めする固定ねじ穴が設けられており、突出部２２ｆは、当該固定ねじ穴の底部および側部を構成している。なお、突出部２２ｆのＺ軸正方向側表面と、これと対向する固定筒縁部１８ｄのＺ軸負方向側表面との間には、第２レンズ枠２２の調整のための調整しろが形成されている。
【００２７】
固定部挿通孔６８は、図２および図３に示すように、略長円状の形状を有しており、突出部２２ｆが、固定部挿通孔６８の内部を、スペーサ３０の周方向に沿って移動することができる。このためスペーサ３０は、突出部２２ｆが固定部挿通孔６８を挿通した状態のまま、固定筒１８および第２レンズ枠２２に対して、光軸Ｌを中心として、所定角度回動することができる。
【００２８】
スペーサ３０の連続穴６４は、図１Ａに示すように、調整ねじ２６によって挿通される。連続穴６４は、図３に示すように、第１の部分６４ａと第２の部分６４ｂとを有する。第１の部分６４ａは、スペーサ３０の径方向（光軸Ｌからスペーサ３０の連続穴６４へ向かう方向）の最大開口幅がＤ１である。第２の部分６４ｂは、第１の部分６４ａに連続して形成されており、径方向の最大開口幅が、Ｄ１より大きいＤ２である。
【００２９】
図３に示す第１の部分６４ａの開口幅Ｄ１は、図１Ａに示す調整ねじ２６の挿通部２６ａの直径Ｄ３よりわずかに大きいため、挿通部２６ａは第１の部分６４ａを挿通する。しかし、固定筒１８に形成されている突起部７２の直径Ｄ４は、第１の部分６４ａの開口幅Ｄ１より大きいため、突起部７２は、第１の部分６４ａを挿通せず、スペーサ３０に当接する（図５）。
【００３０】
それに対して、第２の部分６４ｂの開口幅Ｄ２は、図８に示すように、突起部７２の直径Ｄ４よりわずかに大きい。そのため突起部７２は、第２の部分６４ｂを挿通することができる。
【００３１】
スペーサ３０は、図３に示すように、３つの腕部６２を有する。スペーサ３０の腕部６２以外の部分は、光軸Ｌに垂直な方向（Ｚ軸に垂直な方向）に沿って配置される。しかし腕部６２は、図４に示すように、スペーサ３０における腕部６２以外の部分に対して、Ｚ軸正方向側に、所定の角度θ傾いた状態に形成されている。腕部６２の先端付近のＺ軸正方向側表面には、固定筒縁部１８ｄのＺ軸負方向側表面に当接する当接面６２ａが形成されている。
【００３２】
図３に示す本実施形態のスペーサ３０は、さらに３つの回動量制限孔６６を有する。回動量制限孔６６は、図４に示すように、固定筒縁部１８ｄのＺ軸負方向側表面に形成された凸部７４に挿通される。回動量制限孔６６は、図２および図３に示すように、略長円状の形状を有しており、凸部７４が、回動量制限孔６６の内部を、スペーサ３０の周方向に沿って移動することができる。このためスペーサ３０は、凸部７４が回動量制限孔６６を挿通した状態のまま、固定筒１８および第２レンズ枠２２に対して、光軸Ｌを中心として、所定角度回動することができる。
【００３３】
図４および図５に示すように、スペーサ３０が標準位置Ｐ１に配置された状態では、連続穴６４の第１の部分６４ａが突起部７２と対向する。また、スペーサ３０が標準位置Ｐ１に配置された状態では、回動量制限孔６６の一方の周方向端部６６ａは、凸部７４に当接する。
【００３４】
それに対して、図７および図８に示すように、スペーサ３０が調整位置Ｐ２に配置された状態では、連続穴６４の第２の部分６４ｂが突起部７２と対向する。また、スペーサ３０が調整位置Ｐ２に配置された状態では、回動量制限孔６６の一方の周方向端部６６ｂは、凸部７４に当接する。
【００３５】
このように、回動量制限孔６６は、標準位置Ｐ１および調整位置Ｐ２において、固定筒縁部１８ｄに形成された凸部７４に当接し、スペーサ３０の回動量を制限している。したがって、第２レンズ枠２２の調整を行う場合に、標準位置Ｐ１または調整位置Ｐ２に、容易かつ正確にスペーサ３０を配置することができる。なお、固定部挿通孔６８によってスペーサ３０の回動量を制限しても、同様の効果を得ることができる。
【００３６】
図４に示す固定筒縁部１８ｄのＺ軸負方向側表面には、スペーサ３０の連続穴６４に対応して、突起部７２が形成されている。図５に示すように、スペーサ３０が標準位置Ｐ１にある状態では、突起部７２は、連続穴６４の第１の部分６４ａと対向している。したがってスペーサ３０は、図４に示すように、突起部７２のＺ軸負方向側表面７２ａと、第２レンズ枠縁部２２ｂのＺ軸正方向側表面との間に挟まれた状態で配置されている。
【００３７】
本実施形態において、スペーサ３０の厚さ方向の幅Ｈ１は、基準位置における突起部７２のＺ軸負方向側表面７２ａと、第２レンズ枠縁部２２ｂのＺ軸正方向側表面との距離に等しくなるように設計されている。
【００３８】
すなわち、第２レンズ枠２２を基準位置に位置決めする場合には、スペーサ３０が標準位置Ｐ１にある状態において、図２に示す３つの調整ねじ２６を所定のトルクでねじ止めする。これによって、図４に示す第２レンズ枠縁部２２ｂのＺ軸正方向側表面は、突起部７２のＺ軸負方向側表面７２ａに対して、Ｚ軸方向の距離がスペーサ３０の厚さ方向の幅Ｈ１と等しくなる状態に位置決めされる。スペーサ３０の厚さ方向の幅Ｈ１は、あらかじめ基準位置における両表面間の距離に等しくなるように設計されているため、第２レンズ枠２２を容易かつ確実に基準位置に配置することができる。
【００３９】
なお、突起部７２のＺ軸負方向側表面７２ａは、突起部７２周辺の固定筒縁部１８ｄのＺ軸負方向側表面である第１表面７８からの高さＨ２が、スペーサ３０の厚さ方向の幅Ｈ１と略一致するように形成されることが好ましい。本実施形態では、幅Ｈ１と高さＨ２のうち、小さい方の値が、第２レンズ枠２２のＺ軸負正方向側への調整しろとなる。したがって、幅Ｈ１と高さＨ２とを略一致させることによって、固定筒縁部１８ｄと第２レンズ枠縁部２２ｂとの距離を最も小さくし、レンズ鏡筒２を小型化することができる。
【００４０】
固定筒縁部１８ｄのＺ軸負方向側表面には、図４に示すように、スペーサ３０の回動量制限孔６６に対応して、凸部７４が形成されている。第２レンズ枠縁部２２ｂのＺ軸正方向側表面には、凸部７４が係合する凹部７６が形成されている。レンズ鏡筒２を組み立てる際、凸部７４に対して凹部７６を係合させることによって、固定筒１８に対する第１レンズ群４の大まかな位置合わせを行うことができるため、レンズ鏡筒２を容易に組み立てることができる。
【００４１】
固定筒縁部１８ｄのＺ軸負方向側表面には、スペーサ３０の腕部６２に対応して、腕部支持面８０と、腕部逃がし面８２と、斜面８４とが形成されている。図４に示すように、スペーサ３０が標準位置Ｐ１にある場合には、腕部６２の当接面６２ａは、腕部逃がし面８２に対向する位置にある。第２レンズ枠縁部２２ｂのＺ軸正方向側表面と、当接面６２ａとのＺ軸方向に沿う距離Ｗ１は、第２レンズ枠縁部２２ｂのＺ軸正方向側表面と、腕部逃がし面８２とのＺ軸方向に沿う距離Ｗ２よりわずかに小さい。そのため、スペーサ３０が標準位置Ｐ１にある場合には、当接面６２ａは固定筒縁部１８ｄに接触せず、腕部６２は第２レンズ枠２２の第２レンズ枠縁部２２ｂを付勢しない。
【００４２】
しかし、スペーサ３０が標準位置Ｐ１から図７に示す調整位置Ｐ２に移動した場合には、腕部６２の当接面６２ａは、腕部逃がし面８２から斜面８４を通り、腕部支持面８０に対向する位置に移動する。第２レンズ枠縁部２２ｂのＺ軸正方向側表面と、腕部支持面８０とのＺ軸方向に沿う距離Ｗ３は、図４に示す距離Ｗ１より小さいため、当接面６２ａは、腕部支持面８０に当接する。腕部６２は、第２レンズ枠縁部２２ｂのＺ軸正方向側表面と、腕部支持面８０とに挟まれて撓んだ状態となるため、第２レンズ枠縁部２２ｂを、固定筒縁部１８ｄに対してＺ軸負方向側に付勢する。このように、本実施形態に係るスペーサ３０に設けられた腕部６２は、第２レンズ枠２２を付勢する板バネとして作用する。
【００４３】
スペーサ３０が調整位置Ｐ２にある状態では、第２レンズ枠縁部２２ｂは、スペーサ３０の腕部６２によって、Ｚ軸負方向側に付勢され、ワッシャ２８を介して調整ねじ２６の頭部２６ｂに押しつけられる状態となる。そのため、レンズ鏡筒２は、図６に示す３つの調整ねじ２６を締めたり緩めたりすることで、第２レンズ枠２２の光軸Ｌに対する傾きおよび位置を調整し、チルト調整等を行うことができる。
【００４４】
なお、本実施形態では、スペーサ３０が標準位置Ｐ１にある状態では、腕部６２は第２レンズ枠縁部２２ｂを付勢しないが、本発明はこれに限定されない。すなわち、スペーサ３０が標準位置Ｐ１にある状態においても、腕部６２が第２レンズ枠縁部２２ｂを付勢しいてもよい。また、スペーサ３０が標準位置Ｐ１にある状態と調整位置Ｐ２にある状態とで、腕部６２が第２レンズ枠縁部２２ｂを付勢する力が変化してもよい。
【００４５】
さらに、本願発明に係るレンズ鏡筒２によれば、スペーサ３０を調整位置Ｐ２に移動させることによって、図７に示す固定筒縁部１８ｄの突起部７２が、スペーサ３０の連続穴６４を挿通することができるようになる。図８に示すように、スペーサ３０が調整位置Ｐ２にある状態では、突起部７２は、連続穴６４の第２の部分６４ｂと対向している。
【００４６】
したがって、図７に示す調整ねじ２６を、締める方向に回転させ、第２レンズ枠２２を基準位置からＺ軸正方向側に移動させて、第２レンズ枠２２の傾きおよび位置を調整することができる。またその反対に、図７に示す調整ねじ２６を緩める方向に回転させ、第２レンズ枠２２を基準位置からＺ軸負方向側に移動させて、第２レンズ枠２２の傾きおよび位置を調整することもできる。
【００４７】
すなわち、本願発明に係るレンズ鏡筒２によれば、基準位置を中心として、光軸Ｌに沿う両側方向（Ｚ軸正負方向）に第２レンズ枠２２移動させ、第２レンズ枠２２（およびこれに固定されている第１レンズ群４）の光軸Ｌに対する傾きおよび位置を調整することができる。したがって、第２レンズ枠２２を移動させてチルト調整等を行う場合、第２レンズ枠２２の移動量を従来より小さくすることができる。さらに、設計上考慮すべきチルト調整のための調整しろも少なくすることができるため、レンズ鏡筒２を小型化することができる。
その他の実施形態
【００４８】
図１〜図８を用いて説明した上述の実施形態では、スペーサ３０の連続穴６４に対応する突起部７２は、固定筒１８に形成されているが、突起部７２を第２レンズ枠２２側に形成してもよい。この場合でも、基準位置を中心として、光軸Ｌに沿う両側方向（Ｚ軸正負方向）に第２レンズ枠２２移動させ、第２レンズ枠２２の光軸Ｌに対する傾きおよび位置を調整することができる。
【図面の簡単な説明】
【００４９】
【図１】図１は、本発明の一実施形態に係るレンズ鏡筒の光軸を通る断面における断面図である。
【図１Ａ】図１Ａは、図１に示すレンズ鏡筒の要部拡大断面図である。
【図２】図２は、図１に示すレンズ鏡筒の第１レンズ群側からの平面図であり、スペーサが標準位置にある状態を示す平面図である。
【図３】図３は、図１に示すレンズ鏡筒に備えられるスペーサの平面図である。
【図４】図１に示すレンズ鏡筒の調整ビス付近の拡大断面図であり、スペーサが標準位置にある状態を示す断面図である。
【図５】図５は、図１に示すレンズ鏡筒に備えられるスペーサと固定筒との位置関係を表した要部拡大図であり、スペーサが標準位置にある状態を示す要部拡大図である。
【図６】図６は、図１に示すレンズ鏡筒の第１レンズ群側からの平面図であり、スペーサが調整位置にある状態を示す平面図である。
【図７】図７は、図１に示すレンズ鏡筒の調整ビス付近の拡大断面図であり、スペーサが調整位置にある状態を示す平面図である。
【図８】図８は、図１に示すレンズ鏡筒に備えられるスペーサと固定筒との位置関係を表した要部拡大図であり、スペーサが調整位置にある状態を示す平面図である。
【符号の説明】
【００５０】
２…  レンズ鏡筒２
１８…   固定筒
１８ｄ…  固定筒縁部
２２…  第２レンズ枠
２２ｂ…  第２レンズ枠縁部
２２ｅ…  スリット
２６…  調整ねじ
３０…  スペーサ
６２…  腕部
６４…  連続穴
６４ａ…  第１の部分
６４ｂ…  第２の部分
７０…  工具係合孔
７２…  突起部
【図１】
2009156960.tif 000003
【図１Ａ】
2009156960.tif 000004
【図２】
2009156960.tif 000005
【図３】
2009156960.tif 000006
【図４】
2009156960.tif 000007
【図５】
2009156960.tif 000008
【図６】
2009156960.tif 000009
【図７】
2009156960.tif 000010
【図８】
2009156960.tif 000011